(57)【要約】【課題】液体動圧軸受装置用の潤滑剤において、長期間の使用によっても蒸発損失することがなく、また固相の晶出開始温度が十分に低く、使用環境温度範囲の広いモータ等にも使用できるようにする。【解決手段】カチオン又はアニオンが共通する２種類のイオン性液体を含み、固相の晶出開始温度が−４０℃以下、室温における粘度が２５ｍＰａ以下であり、一方のイオン性液体は室温において粘度３０ｍＰａ以下の液状で、凝固点が−４０℃以下であり、他方のイオン性液体は室温において粘度３０ｍＰａ以下の液状で、凝固点が−４０℃以上である。【選択図】図１
2008133339.tif 000002
【特許請求の範囲】
【請求項１】
静止部と、前記静止部に対して回転可能に保持される回転部とを有する液体動圧軸受装置において、前記静止部と回転部との間の微小間隙に充填される潤滑剤であって、
固相の晶出開始温度が−４０℃以下、室温における粘度が２５ｍＰａ以下であり、
第１カチオンおよび第２カチオンを含む２種類以上のカチオンと、第１アニオンを含む１種類以上のアニオンとを含み、
第１カチオンと第１アニオンとは、実質的にこれらイオンのみからなるイオン結合性物質を構成し得るものであり、且つ該イオン結合性物質は室温において粘度３０ｍＰａ以下の液状で、凝固点が−４０℃以下であり、
第２カチオンと第１アニオンとは、実質的にこれらイオンのみからなるイオン結合性物質を構成し得るものであり、且つ該イオン結合性物質は室温において粘度３０ｍＰａ以下の液状で、凝固点が−４０℃以上であることを特徴とする潤滑剤。
【請求項２】
静止部と、前記静止部に対して回転可能に保持される回転部とを有する液体動圧軸受装置において、前記静止部と回転部との間の微小間隙に充填される潤滑剤であって、
固相の晶出開始温度が−４０℃以下、室温における粘度が２５ｍＰａ以下であり、
第３カチオンを含む１種類以上のカチオンと、第２アニオン及び第３アニオンを含む２種類以上のアニオンとを含み、
第３カチオンと第２アニオンとは、実質的にこれらイオンのみからなるイオン結合性物質を構成し得るものであり、且つ該イオン結合性物質は室温において粘度３０ｍＰａ以下の液状で、凝固点が−４０℃以下であり、
第３カチオンと第３アニオンとは、実質的にこれらイオンのみからなるイオン結合性物質を構成し得るものであり、且つ該イオン結合性物質は室温において粘度３０ｍＰａ以下の液状で、凝固点が−４０℃以上であることを特徴とする潤滑剤。
【請求項３】
第３カチオンは、ジアルキルイミダゾリウム、アルキル−アリルイミダゾリウム、ジアリルイミダゾリウムからなる群から選ばれ、第２アニオン及び第３アニオンは、ビス（フルオロスルホン酸）イミド、ビス（トリフルオロメチルスルホン酸）イミド、ジシアノアミド、チオシアン酸、トリフルオロメタンスルホン酸、トリフルオロ酢酸からなる群から選ばれる請求項２記載の潤滑剤。
【請求項４】
第１カチオン及び第２カチオンは、ジアルキルイミダゾリウム、アルキル−アリルイミダゾリウム、ジアリルイミダゾリウムからなる群から選ばれ、第１アニオンは、ビス（フルオロスルホン酸）イミド、ビス（トリフルオロメチルスルホン酸）イミド、ジシアノアミド、チオシアン酸、トリフルオロメタンスルホン酸、トリフルオロ酢酸からなる群から選ばれる請求項１記載の潤滑剤。
【請求項５】
第１カチオンが１−メチル−３−プロピル−イミダゾリウムであり、第２カチオンが１−エチル−３−メチル−イミダゾリウムである請求項４記載の潤滑剤。
【請求項６】
第１アニオンがビス（フルオロスルホン酸）イミドである請求項５記載の潤滑剤。
【請求項７】
第１カチオンと第２カチオンとは、モル濃度比が１：１〜４：１の範囲である請求項５記載の潤滑剤。
【請求項８】
静止部と、前記静止部に対して回転可能に保持される回転部とを有する液体動圧軸受装置において、前記静止部と回転部との間の微小間隙に充填される潤滑剤であって、
ジアルキルイミダゾリウム、アルキル−アリルイミダゾリウム、ジアリルイミダゾリウムからなる群から選ばれる少なくとも１つのカチオンと、ビス（フルオロスルホン酸）イミド、ビス（トリフルオロメチルスルホン酸）イミド、ジシアノアミド、チオシアン酸、トリフルオロメタンスルホン酸、トリフルオロ酢酸からなる群から選ばれる少なくとも１つのアニオンとを有するイオン性液体と、
粘度指数向上剤、油性向上剤、極性添加剤、耐摩耗添加剤、流動点降下剤、清浄剤、酸化防止剤、金属不活性剤、防蝕剤、防錆剤、防水剤、乳化剤、消泡剤、色相安定剤、および、蛍光剤の少なくとも１つとを有することを特徴とする潤滑剤。
【請求項９】
請求項１〜８のいずれかに記載の潤滑剤を用いた液体動圧軸受装置を備えたことを特徴とするスピンドルモータ。
【請求項１０】
前記潤滑剤と接触する部材は、少なくとも前記潤滑剤と接触する表面が、アルミニウムまたはアルミニウム合金により形成されていることを特徴とする請求項９記載のスピンドルモータ。
【請求項１１】
前記潤滑剤と接触する部材は、少なくとも前記潤滑剤と接触する表面が耐腐食性を有することを特徴とする請求項９記載のスピンドルモータ。
【請求項１２】
前記耐腐食性は、陽極酸化処理、皮膜形成処理、鍍金処理の１つ又はそれ以上によって付与されることを特徴とする請求項１１記載のスピンドルモータ。
【請求項１３】
請求項９〜１２のいずれかに記載のスピンドルモータを備えたことを特徴とする記録ディスク駆動装置。
【発明の詳細な説明】
【技術分野】
【０００１】
本発明は液体動圧軸受装置に用いる潤滑剤並びにそれを用いたスピンドルモータ及び記録ディスク駆動装置に関するものである。
【背景技術】
【０００２】
ハードディスクドライブ（ＨＤＤ）や高容量のフロピィディスクドライブ（ＦＤＤ）などの磁気ディスク装置は年々著しく高容量化、小型化が進み、そこで使用されるスピンドルモータには、高速化に耐えられる寿命と静寂性、それに優れた振れ精度が要求される。そこで、スピンドルモータの軸受け構造として玉を使わずに、気体や液体を介して軸のまわりを回転させる方式の流体動圧軸受が開発された。流体動圧軸受の構造は、軸部材とスリーブ部材とが相対的に回転自在に遊嵌されてなり、軸部材とスリーブ部材には、軸部材又はスリーブ部材の半径方向の荷重を支持するラジアル軸受部と、軸方向の荷重を支持するスラスト軸受部とが形成されている。これらの各軸受部は、スリーブ部材に設けられた軸受面と、軸部材に設けられた軸受面とが微小間隙を介して対向してなり、前記軸受面の少なくとも一方に動圧発生溝が形成され、液体動圧軸受の場合、微小間隙には潤滑剤が充填されている。
【０００３】
ここで、スピンドルモータの始動時など潤滑剤が低温域にある場合、潤滑剤の粘度が高いと回転時の動力発生溝に対する潤滑剤の粘性抵抗が大きくなり、モータの電力損失が大きくなる。一方、軸部材又はスリーブ部材の連続回転時など、潤滑剤が高温域にある場合、潤滑剤が熱膨張してその粘度が低下すると軸受剛性が低下し、回転する軸部材又はスリーブ部材を十分に支持することができなくなる。このため潤滑剤には、低温域では低い粘度で、そして高温域になっても粘度低下しないという一見相反する粘度特性が要求される。
【０００４】
このような粘度特性を満足させようと、例えば特定の炭酸エステル化合物を主成分とする基油に酸化防止剤や極圧添加剤などの添加剤を添加するなどこれまでから種々の提案がなされている。
【０００５】
しかし上記提案されている各種の潤滑剤は、使用当初は所期の効果を奏するものの、長期間使用している間に潤滑剤が蒸発して粘度特性が変化してしまい所期の効果を継続して奏することができないことがあった。
【０００６】
ところで近年、有機合成や有機化学電池の分野においてイオン性液体が溶媒等として注目されている。このイオン性液体は、蒸気圧が非常に低くほとんど蒸発しない。また導電性を備えている。そこでこのような特性を有するイオン性液体を、流体動圧軸受装置の潤滑剤として使用することが最近試みられつつある（例えば特許文献１，２、３など）。
【特許文献１】特開２００６−１０５２０７号公報
【特許文献２】特開２００４−１８３８６８号公報
【特許文献３】特開２００５−３１４４６７号公報
【発明の開示】
【発明が解決しようとする課題】
【０００７】
ところが、例えばクルマや携帯用機器に搭載されるＣＤやＭＤのスピンドルモータでは、使用環境温度が−４０〜１００℃の範囲にもなる。従来のイオン性液体は、一般的に、潤滑剤として好適な粘度を有するイオン性液体では固相の晶出開始温度が高く、例えば−４０℃の使用環境下では結晶化してしまう。また、凝固点の低いイオン性液体では、潤滑剤として好適な粘度等の性質を満たすものが見出されていない。このため、従来のイオン性液体は、このような使用環境温度範囲の広いモータ等の流体動圧軸受装置用の潤滑剤としては用いることは困難であった。
【０００８】
本発明はこのような従来の問題に鑑みてなされたものであり、その目的とするところは、長期間の使用によっても蒸発損失することがなく、また固相の晶出開始温度が十分に低く、使用環境温度範囲の広いモータ等にも使用できる液体動圧軸受装置用の潤滑剤を提供することにある。
【０００９】
また本発明の目的は、耐久性に優れ、使用環境温度範囲の広いスピンドルモータ及び記録ディスク駆動装置を提供することにある。
【課題を解決するための手段】
【００１０】
本発明によれば、静止部と、前記静止部に対して回転可能に保持される回転部とを有する液体動圧軸受装置において、前記静止部と回転部の間の微小間隙に充填される潤滑剤であって、固相の晶出開始温度が−４０℃以下、室温における粘度が２５ｍＰａ以下であり、第１カチオンと第２カチオンを含む２種類以上のカチオンと、第１アニオンを含む１種類以上のアニオンとを含み、第１カチオンと第１アニオンは、実質的にこれらイオンのみからなるイオン結合性物質を構成し得るものであり、且つ該イオン結合性物質は室温において粘度３０ｍＰａ以下の液状で、凝固点が−４０℃以下であり、第２カチオンと第１アニオンは、実質的にこれらイオンのみからなるイオン結合性物質を構成し得るものであり、且つ該イオン結合性物質は室温において粘度３０ｍＰａ以下の液状で、凝固点が−４０℃以上であることを特徴とする潤滑剤が提供される。
【００１１】
なお本明細書において、「固相の晶出開始温度」および「凝固点」は、液体中に固体の析出が開始する温度であり、自動凝固点測定試験器や、目視による測定など従来公知の方法により測定されたものである。「粘度」は、東機産業社製粘度測定器Ｅ型粘度計を使用し、２５℃と６０℃との２温度における粘度を測定し、その２点のデータから近似式を用いて液体の粘度を計算したものである。
【００１２】
また本発明によれば、静止部と、前記静止部に対して回転可能に保持される回転部とを有する液体動圧軸受装置において、前記静止部と回転部の間の微小間隙に充填される潤滑剤であって、固相の晶出開始温度が−４０℃以下、室温における粘度が２５ｍＰａ以下であり、第３カチオンを含む１種類以上のカチオンと、第２アニオン及び第３アニオンを含む２種類以上のアニオンとを含み、第３カチオンと第２アニオンは、実質的にこれらイオンのみからなるイオン結合性物質を構成し得るものであり、且つ該イオン結合性物質は室温において粘度３０ｍＰａ以下の液状で、凝固点が−４０℃以下であり、第３カチオンと第３アニオンは、実質的にこれらイオンのみからなるイオン結合性物質を構成し得るものであり、且つ該イオン結合性物質は室温において粘度３０ｍＰａ以下の液状で、凝固点が−４０℃以上であることを特徴とする潤滑剤が提供される。
【００１３】
さらに本発明によれば、静止部と、前記静止部に対して回転可能に保持される回転部とを有する液体動圧軸受装置において、前記静止部と回転部の間の微小間隙に充填される潤滑剤であって、ジアルキルイミダゾリウム、アルキル−アリルイミダゾリウム、ジアリルイミダゾリウムからなる群から選ばれる少なくとも１つのカチオンと、ビス（フルオロスルホン酸）イミド、ビス（トリフルオロメチルスルホン酸）イミド、ジシアノアミド、チオシアン酸、トリフルオロメタンスルホン酸、トリフルオロ酢酸からなる群から選ばれる少なくとも１つのアニオンとを有するイオン性液体と、粘度指数向上剤、油性向上剤、極性添加剤、耐摩耗添加剤、流動点降下剤、清浄剤、酸化防止剤、金属不活性剤、防蝕剤、防錆剤、防水剤、乳化剤、消泡剤、色相安定剤、蛍光剤の少なくとも１つを有することを特徴とする潤滑剤が提供される。なお本明細書におけるイオン性液体とは、カチオンとアニオンとを主成分とし、室温を含む幅広い温度でも結晶化せずに溶融している有機酸塩をいう。
【００１４】
そしてまた本発明によれば、上記記載の潤滑剤を用いた液体動圧軸受装置を備えたことを特徴とするスピンドルモータ及びこのスピンドルモータを備えたことを特徴とする記録ディスク駆動装置が提供される。
【発明の効果】
【００１５】
第１の発明および第２の発明に係る潤滑剤では、所定の粘度と凝固点を有する２種類のイオン結合性物質を構成し得るカチオンとアニオンを含ませることによって、固相の晶出開始温度を−４０℃以下、室温における粘度を２５ｍＰａ以下とした。これにより本発明の潤滑剤では、液体動圧軸受装置において長期間使用しても蒸発損失することがなく、また使用できる環境温度範囲が広くなる。
【００１６】
また第３の発明に係る潤滑剤では、特定のイオン性液体に添加剤を添加し、所望の凝固点と粘度とを得るようにした。これにより前記発明と同様に、液体動圧軸受装置における使用による蒸発損失をなくし、また使用できる環境温度範囲を広くできる。
【００１７】
また本発明に係るスピンドルモータ及び記録ディスク駆動装置では、潤滑剤として前記記載のものを用いるので、車載機器や携帯用機器など使用環境温度範囲の広い製品に搭載できるようになった。
【発明を実施するための最良の形態】
【００１８】
本発明者等は、イオン性液体の凝固点を低くすべく鋭意検討を重ねた結果、単一のイオン性液体で凝固点を低くしたものを合成することは不可能ではなかったが、凝固点と粘度が共に低いものは少なく、また凝固点と粘度とが共に低いものは金属に対して高い腐食性を有していた。そこで本発明者等は、凝固点及び粘度の異なる２種類以上のイオン性液体を混合することによって、所望の固相の晶出開始温度（以下、単に「晶出開始温度」と記すことがある）と粘度とを実現できることを見出し本発明をなすに至った。
【００１９】
第１の発明に係る潤滑剤の大きな特徴は、カチオンが異なりアニオンが共通する２種類のイオン性液体（イオン結合性物質）であって凝固点の異なるものを、所定割合で含有させることによって、晶出開始温度を−４０℃以下、室温における粘度を２５ｍＰａＳ以下としたことにある。
【００２０】
前記２種類のイオン性液体の、異なるカチオン（第１カチオンと第２カチオン）としては、第１アニオンとの組合せにおいて所定の凝固点および粘度を有するものであれば特に限定はなく、従来公知のものが挙げられる。例えばイミダゾリウムやピリジニウム、ピラゾリウム、ピペリジン、モルホリン、ピペラジン、ピロール、ホスフォニウム、四級アンモニウム塩などが挙げられる。この中でもイミダゾリウムが好ましく、より好ましくはジアルキルイミダゾリウム、アルキル−アリルイミダゾリウム、ジアリルイミダゾリウムである。ジアルキルイミダゾリウムとしては、１−メチル−３−プロピル−イミダゾリウム、１−エチル−３−メチル−イミダゾリウム、１−ブチル−３−メチル−イミダゾリウム、１−ヘキシル−３−メチル−イミダゾリウムなどが挙げられる。アルキル−アリルイミダゾリウムとしては１−アリル−３−メチルイミダゾリウムなどが挙げられる。ジアリルイミダゾリウムとしては１，３−ジアリルイミダゾリウムなどが挙げられる。より詳細には、第１カチオンとしては１−メチル−３−プロピル−イミダゾリウムが好適であり、第２カチオンとしては１−エチル−３−メチル−イミダゾリウムが好適である。
【００２１】
一方、前記２種類のイオン性液体の共通する第１アニオンとしては、第１カチオン及び第２カチオンのそれぞれ組合せにおいて所定の凝固点および粘度を有するものであれば特に限定はなく、従来公知のものが挙げられる。例えば、ビス（フルオロスルホン酸）イミド、ビス（トリフルオロメチルスルホン酸）イミド、ジシアノアミド、チオシアン酸、トリフルオロメタンスルホン酸、トリフルオロ酢酸などが挙げられる。この中でもビス（フルオロスルホン酸）イミドが特に好ましい。
【００２２】
第１カチオンと第１アニオンとからなるイオン性液体及び第２カチオンと第１アニオンとからなるイオン性液体の具体例を表１に示す。
【００２３】
【表１】
2008133339.tif 000003
【００２４】
潤滑剤が所望の晶出開始温度および粘度となるように、表１に示されたイオン性液体からその組み合わせ及び含有割合は適宜決定すればよい。表１におけるイオン性液体Ａ（1-メチル-3-フ゜ロヒ゜ルイミタ゛ソ゛リウムヒ゛ス(フルオロスルホン酸)イミト゛）と、イオン性液体Ｄ（1-エチル-3-メチルイミタ゛ソ゛リウムヒ゛ス(スルホン酸)イミト゛）とを選択した場合の、含有割合と粘度および晶出開始温度などとの関係を調べた。その結果を表２に示す。なお表２において、「−８０℃」は−８０℃のフリーザー中に１５時間保存した後の潤滑剤の状態であり、「−３０℃」は−８０℃で結晶化した潤滑剤を−３０℃のフリーザー中に移し、２４時間保存した後の状態である。
【００２５】
【表２】
2008133339.tif 000004
【００２６】
表２から理解されるように、凝固点が−１３℃、粘度が１９ｍＰａのイオン性液体Ｄに、凝固点が−５０℃以下、粘度が２９ｍＰａのイオン性液体Ａを混合することによって、凝固点は低下し、粘度は上昇する。なお、混合比率が５０：５０のとき、潤滑剤は−８０℃で結晶となり、−３０℃で液状となったことから、このときの凝固点は−３０〜−８０℃の間と考えられる。したがって、晶出開始温度が−４０℃以下で、室温における粘度が２５ｍＰａ以下の潤滑剤を得るには、イオン性液体Ａとイオン性液体Ｄの混合比を５０：５０〜８０：２０の範囲とすればよいことがわかる。
【００２７】
次に、第２の発明に係る潤滑剤について説明する。第２の発明は、２種類のイオン性液体（イオン結合性物質）を含有させることによって、晶出開始温度を−４０℃以下、室温における粘度を２５ｍＰａＳ以下とする点で第１の発明と同じであるが、カチオンが共通しアニオンが異なる２種類のイオン性液体を含有させる点で第１の発明と異なる。
【００２８】
２種類のイオン性液体で共通するカチオン（第３カチオン）としては、第２アニオン及び第３アニオンとの組合せにおいて、所定の凝固点および粘度を有するものであれば特に限定はなく、従来公知のものが挙げられる。具体的には第１カチオン及び第２カチオンとして例示したものがここでも挙げられる。この中でもジアルキルイミダゾリウムが好ましく、より詳細には１−エチル−３−メチル−イミダゾリウムが好適である。
【００２９】
一方、２種類のイオン性液体の異なる第２アニオン及び第３アニオンとしては、第３カチオンとの組合せにおいて、所定の凝固点および粘度を有するものであれば特に限定はなく、従来公知のものが挙げられる。具体的には第１カチオンとして例示したものがここでも挙げられる。これらの中でもビス（フルオロスルホン酸）イミド、トリフルオロ酢酸が好適である。
【００３０】
第３カチオンと第２アニオンとからなるイオン性液体及び第３カチオンと第３アニオンとからなるイオン性液体の具体例を表３に示す。
【００３１】
【表３】
2008133339.tif 000005
【００３２】
表３に示されたイオン性液体から、潤滑剤の晶出開始温度および粘度が所望値となるように、その組み合わせ及び含有割合を適宜決定すればよい。なお、イオン性液体Ｆ及びイオン性液体Ｇは、それぞれ単体でも晶出開始温度−４０℃以下、室温における粘度２５ｍＰａ以下を満足しているが、これらのイオン性液体を単独で用いるとステンレス鋼などからなる軸受部材に錆が生じることがあった。またイオン性液体Ｇについては合成が困難であった。したがって、これらのイオン性液体を混合して使用する場合には含有割合を少なくして使用するのが望ましい。表３に示されたイオン性液体の中では、イオン性液体Ｅ（1-エチル-3-メチルイミタ゛ソ゛リウムヒ゛ス(スルホン酸)イミト゛）と、イオン性液体Ｈ（1-エチル-3-メチルイミタ゛ソ゛リウムトリフルオロ酢酸）との組合せが好ましい。表２に示したように、これらのイオン性液体の含有割合を変化させて晶出開始温度および粘度を測定し、これらの特性値が所望値となるように２つのイオン性液体の含有割合を決定すればよい。
【００３３】
以上、本発明の好適な実施例においては、イオン性液体を混合して、その混合液の潤滑剤としての性能を向上させることについて詳細な説明を行った。しかしながら、潤滑剤の性質を向上させる観点から、イオン性液体に添加剤を加えて、潤滑剤の性能を向上させても構わない。
【００３４】
添加剤としては従来公知のものを使用できる。例えば、粘度指数向上剤、油性向上剤、極性添加剤、耐摩耗添加剤、流動点降下剤、清浄剤、酸化防止剤、金属不活性剤、防蝕剤、防錆剤、防水剤、乳化剤、消泡剤、色相安定剤、および、蛍光剤の少なくとも１つ以上が用いられても構わない。添加剤の含有量としては本発明の効果を妨げない範囲であればよく、例えば０．０１ｗｔ％〜１０ｗｔ％の範囲が好ましい。
【００３５】
また、本発明の実施例に述べられたイオン性液体が単独でも、要求される性能を満たしている場合は、これらのイオン性液体を潤滑剤として単独で用いても構わない。例えば、１−エチル−３−メチル−イミダゾリウムをカチオンとして含み、ビス（フルオロスルホン酸）イミドをアニオンとして含むイオン性液体（表１のイオン性液体Ｄ）を、サーバ用途など低温の晶出開始温度が要求されない用途に単独で使用しても構わない。
【００３６】
次に、本発明に係るスピンドルモータについて説明する。図１は、本発明に係るスピンドルモータの一実施形態であって、記録ディスク駆動用の流体軸受モータの概略断面図である。スピンドルモータ１は、ブラケット２と、このブラケット２の中央開口部に一方の端部が外嵌固定されるシャフト（静止部）４、このシャフト４に対して相対的に回転自在に保持されたロータ（回転部）６とを備える。ブラケット２にはステータ１２が固定され、ロータ６にはステータ１２に対向した位置にロータマグネット１０が設けられ、ステータ１２とロータマグネット１０との間で回転駆動力が発生する。
【００３７】
シャフト４の上部及び下部には半径方向外方に突出する円盤状の上部スラストプレート４ａと下部スラストプレート４ｂがあり、これらのスラストプレート間のシャフト外側面には、気体介在部２２が形成されている。
【００３８】
一方ロータ６は、その外周部に記録ディスクＤが載置されるロータハブ６ａと、ロータ６の内周側に位置し、潤滑剤８が保持される微小間隙を介してシャフト４に支持されるスリーブ６ｂとを備えている。さらにスリーブ６ｂには、上部および下部スラストプレートの外側に蓋をする形で、上部カウンタプレート７ａおよび下部カウンタプレート７ｂが設けられている。
【００３９】
シャフト４の中央部に設けられた気体介在部２２の上部に隣接するシャフト４の外周部から、上部スラストプレートの下面、外周面および上面外周部に至る部分には、対向するスリーブ６ｂの内周部貫通孔６ｃの上部から上部カウンタプレート７ａの下面に至る部分との間に、微小間隙が形成され、潤滑剤８が保持されている。そして上部スラストプレート４ａの下面および下部スラストプレート４ｂの上面には、ロータ６の回転にともない潤滑剤８中に動圧を発生するスパイラル状の動圧溝１４が形成されている。動圧溝１４は、モータ回転時にロータ部を軸線方向に保持する支持力を発生すると同時に、潤滑剤８を矢印Ａの方向に押し戻す作用を奏する。さらにスリーブ６ｂの内周部貫通孔６ｃの上部・下部内面の潤滑剤保持部には、ヘリングボーン状の動圧溝２４が形成されている。動圧溝２４は、モータ回転時にロータ部を半径方向に保持する支持力を発生すると同時に、潤滑剤８を矢印Ｂの方向に押し上げる作用を奏する。
【００４０】
これら動圧溝により生じる微小間隙内の潤滑剤８の動圧圧力分布は、上部スラストプレートの下面内周部Ｐで最も高くなる。この結果、潤滑剤８内に溶け込んでいた空気が気泡化すると、その気泡は前記内周部Ｐの外側に拡散排除され、下方の気体介在部２２空隙部または上方の上部カウンタプレート７ａ下面空隙部に至る。そしてこれらの空隙部は、直接または外気連通孔２０により大気に解放されているので、ここから気泡は外気に解放され、気泡の膨張に起因する潤滑剤漏れは防止される。
【００４１】
更に前記潤滑剤保持部の端部であるカウンタプレート７ａの下面と上部スラストプレート４ａ上面との間には、シャフト方向に向かう程その間隙が徐々に広がるテーパシール部が形成され、テーパシール部の端部には撥油剤が塗布されている。同様に、前記潤滑剤保持部の他端部であるシャフト４中央部の気体介在部２２の上部にも、シャフト４の外周面とスリーブ６ｂの内周面との間で、潤滑剤保持部から軸方向下方に離れる程その間隙が徐々に広がるテーパシール部が形成され、テーパシール部の端部には撥油剤が塗布されている。これらの両端に形成されたテーパシール部により、潤滑剤内部に生じる動圧力、大気圧、テーパシール部の表面張力がバランスした位置に潤滑剤は保持される。テーパシール部に塗布された撥油剤は、潤滑剤がシャフトやスリーブの金属表面を伝って拡散する、いわゆるオイルマイグレーションを防止する作用も有する。これらの潤滑剤保持構造により、潤滑剤漏れがなくかつ負荷支持力の高い流体軸受構造を実現している。
【００４２】
同様の微小間隙、動圧溝、潤滑剤保持部の構造が、シャフト４の中央部に設けられた気体介在部２２の下部から下部スラストプレート４ｂおよび下部カウンタプレート７ｂに、上下逆配置で形成されており、この下部動圧軸受部によりロータ部は一層安定に支持される。
【００４３】
また、潤滑剤であるイオン性液体による部材の腐食を防止するために、潤滑剤８と接触する部材は耐腐食性を有する部材から形成される。例えば、シャフト４、スリーブ６ｂ、上部スラストプレート４ａ、カウンタプレート７ａ、下部スラストプレート４ｂ、下部カウンタプレート４ｂは、アルミニウムまたはアルミニウム合金から形成される。また、これら部材は全体がアルミニウムまたはアルミニウム合金から形成される必要はなく、潤滑剤８と接触する表面が耐腐食性を持つように、これらの部材が形成されても構わない。例えば、部材の表面にアルマイト処理などの酸化皮膜を形成すると、ＤＬＣ（ダイヤモンドライクカーボン）、樹脂、チタン酸化物などにより皮膜を形成する、金やニッケルなどの耐腐食性の金属を用いて鍍金を施す、などの処理が行われ、これらの部材に耐腐食性が付与されても構わない。
【００４４】
またこのような構造のスピンドルモータは、毎分２万回転前後の高速回転においても、回転遠心力による潤滑剤８の外周方向への発散が、上部および下部カウンタプレート７ａ、７ｂにより効果的に防止され、一層高速で安定した回転を実現することができる。
【００４５】
次に本発明に係る記録ディスク駆動装置について説明する。この記録ディスク駆動装置は、スピンドルモータの回転部に装着された記録媒体に対して、情報の書き込み及び／又は読み出しを情報アクセス手段により行う装置であって、当該スピンドルモータとして前記記載のものを用いることを特徴とすものである。
【００４６】
図２に、本発明の記録ディスク駆動装置の一実施態様である概略説明図を示す。ハウジング７１の内部には、各種情報をデジタル形式で高密度に記憶するディスク板（記録媒体）７３を回転自在に支持したスピンドルモータ７２と、ディスク板７３に対して情報の読み書きを行う情報アクセス手段７７が配置されている。この情報アクセス手段７７は、ディスク板７３上の情報を読み書きするヘッド７６と、ヘッド７６を支えるアーム７５と、ヘッド７６およびアーム７５をディスク板７３上の所要の位置に移動させるアクチュエータ部７４から少なくとも構成されている。そしてスピンドルモータ７２として前記記載のものが用いられている。
【００４７】
なお、ディスク板に記憶できる情報密度は近年飛躍的に向上し、ディスク板の設置環境として塵・埃などの極度に少ないクリーンな環境が必須となっている。したがって、ハウジング７１の内部を外気から遮断した高度にクリーンな空間とするためには、その内部構成部品である情報アクセス手段７７及びスピンドルモータ７２として、その内部で使用されている潤滑剤のミスト等が外部に漏れない機構のものを使用するのが望ましい。
【００４８】
以上、本発明に係るスピンドルモータ及び記録ディスク駆動装置の一実施形態について説明したが、本発明は係る実施形態に限定されるものではなく、本発明の範囲を逸脱することなく種々変形乃至修正が可能である。
【図面の簡単な説明】
【００４９】
【図１】本発明のモータの概略構成図である。
【図２】本発明のディスク装置の概略構成図である。
【符号の説明】
【００５０】
１  モータ
４  シャフト（静止部）
６ｂ  スリーブ（回転部）
８  潤滑剤
１４、２４  動圧溝
７１  ハウジング
７２  スピンドルモータ
７３  ディスク板（記録媒体）
７７  情報アクセス手段
【図１】
2008133339.tif 000006
【図２】
2008133339.tif 000007